(57)【要約】【課題】製造工程が簡素化され、製造コストも大幅に削減される密着包部を備える３面折り畳み式マスクの製造方法を提供する。【解決手段】本発明は密着包部を備える３面折り畳み式マスクを製造する際に、 綿織物６ａの下面に樹脂層６ｂを形成し、樹脂層６ｂの上に接着補助用合成繊維不織布層１５を形成し、接着補助用合成繊維不織布層１５、樹脂層６ｂ、綿織物６ａが順に積層された３層構造の積層体Ａを製造した後、接着補助用合成繊維不織布層が上部フィルター紙１及び下部フィルター紙３のそれぞれに当接するように積層体を上部フィルター紙の内側面の上縁部と下部フィルター紙の内側面の下縁部とのそれぞれに載置した後、接着補助用合成繊維不織布層を構成する合成繊維の融点以上の温度で超音波を照射して、綿織物と樹脂層とからなる密着包部を上部フィルター紙の内側面の上縁部と下部フィルター紙の内側面の下縁部とのそれぞれに接着させることを特徴とする。【選択図】図１
2019060064.tif 000002
【特許請求の範囲】
【請求項１】
（ｉ）マスクの中央部に位置する合成繊維不織布の中央フィルター紙（２）、（ｉｉ）前記中央フィルター紙（２）の上方に延設されて折り曲げ線（７ａ）に沿って中央フィルター紙（２）の長さ方向に折り畳まれる合成繊維不織布の上部フィルター紙（１）、（ｉｉｉ）前記中央フィルター紙（２）の下方に延設されて折り曲げ線（７ｂ）に沿って前記中央フィルター紙（２）の長さ方向に折り畳まれる合成繊維不織布の下部フィルター紙（３）、（ｉｖ）前記上部フィルター紙（１）の中央内部に挿設されているアルミ平板の鼻掛け金具（４）、及び（ｖ）前記中央フィルター紙（２）の両端部のそれぞれに設けられる２つの耳掛け紐（５）を含み、前記上部フィルター紙（１）の内側面のうち上縁部と前記下部フィルター紙（３）の内側面のうち下縁部とのそれぞれには、綿織物（６ａ）と、前記綿織物（６ａ）の下面に形成された樹脂層（６ｂ）とからなる密着包部（６）が接着されている、密着包部（６）を備える３面折り畳み式マスクの製造方法であって、
前記綿織物（６ａ）の下面にホットメルト接着剤を塗布して樹脂層（６ｂ）を形成した後、前記樹脂層（６ｂ）の上に合成繊維不織布を接着して接着補助用合成繊維不織布層（１５）を形成し、前記接着補助用合成繊維不織布層（１５）、前記樹脂層（６ｂ）及び前記綿織物（６ａ）が順に積層された３層構造の積層体（Ａ）を製造した後、前記積層体（Ａ）の接着補助用合成繊維不織布層（１５）が前記上部フィルター紙（１）及び前記下部フィルター紙（３）のそれぞれに当接するように、前記積層体（Ａ）を前記上部フィルター紙（１）の内側面のうち上縁部と、前記下部フィルター紙（３）の内側面のうち下縁部とのそれぞれに載置した後、前記接着補助用合成繊維不織布層（１５）を構成する合成繊維の融点以上の温度で超音波を照射して、前記綿織物（６ａ）と前記樹脂層（６ｂ）とからなる前記密着包部（６）を前記上部フィルター紙（１）の内側面のうち上縁部と、前記下部フィルター紙（３）の内側面のうち下縁部とのそれぞれに接着させることを特徴とする密着包部を備える３面折り畳み式マスクの製造方法。
【請求項２】
前記中央フィルター紙（２）の両端上縁部（２ａ）は、前記中央フィルター紙（２）の両端下縁部（２ｂ）より前記耳掛け紐（５）の方向に沿って相対的に長く延びていることを特徴とする請求項１に記載の密着包部を備える３面折り畳み式マスクの製造方法。
【請求項３】
前記上部フィルター紙（１）の上縁の中央部には鼻面挿入用凹溝（１ａ）が形成されており、前記上部フィルター紙（１）の上縁は屈曲部が形成された曲線で構成されていることを特徴とする請求項１に記載の密着包部を備える３面折り畳み式マスクの製造方法。
【請求項４】
前記上部フィルター紙（１）、前記中央フィルター紙（２）、及び前記下部フィルター紙（３）のそれぞれは、合成繊維スパンボンド不織布からなる内層（１１）、合成繊維メルトブローン・フィルター（Ｍｅｌｔ  Ｂｌｏｗｎ  Ｆｉｌｔｅｒ）からなる第１中間層（１２）、合成繊維サーマル不織布（Ｔｈｅｒｍａｌ  Ｎｏｎーｗｏｖｅｎ  Ｆａｂｒｉｃ）からなる第２中間層（１３）、及び合成繊維スパンボンド不織布からなる外層（１４）が順に積層されている不織布積層体（１０）で構成されることを特徴とする請求項１に記載の密着包部を備える３面折り畳み式マスクの製造方法。
【発明の詳細な説明】
【技術分野】
【０００１】
本発明は密着包部を備える３面折り畳み式マスクの製造方法に関するものであり、より詳細には、着用者の顔面屈曲部分に沿ってマスクが完全に密着されて微細粉塵の濾過性能がさらに向上し、携帯や保管が容易であり、着用感（肌触り）及び外観に優れた、密着包部を備える３面折り畳み式マスクを簡素な工程及び安価な製造コストで製造する密着包部を備える３面折り畳み式マスクの製造方法に関するものである。
【０００２】
本発明において、「密着包部を備える３面折り畳み式マスク」という用語は、図２乃至図３に示すように、（ｉ）マスクの中央部に位置する中央フィルター紙２、（ｉｉ）中央フィルター紙２の上方に延設されて折り曲げ線７ａに沿って中央フィルター紙２の長さ方向に折り畳まれる上部フィルター紙１、（ｉｉｉ）中央フィルター紙２の下方に延設されて折り曲げ線７ｂに沿って中央フィルター紙２の長さ方向に折り畳まれる下部フィルター紙３、（ｉｖ）上部フィルター紙１の中央内部に挿設されているアルミ平板の鼻掛け金具４、及び（ｖ）中央フィルター紙２の両端部のそれぞれに設けられる２つの耳掛け紐５を含み、上部フィルター紙１の内側面のうち上縁部と下部フィルター紙３の内側面のうち下縁部とのそれぞれには、綿織物６ａと、前記綿織物６ａの下面に形成された樹脂層６ｂとからなる密着包部６が接着されており、マスクの長さ方向に沿って３重に折り畳むことができるマスクを称するものとして使用する。
【背景技術】
【０００３】
最近は、便利に携帯や保管できるように密着包部を備える３面折り畳み式マスクが広く使用されている。
【０００４】
密着包部を備える３面折り畳み式マスクを製造する従来の技術としては、綿織物６ａと、前記綿織物６ａの下面に形成された樹脂層６ｂとからなる密着包部６を縫製工程を通じて上部フィルター紙１の内側面のうち下縁部と下部フィルター紙３の内側面のうち下縁部にそれぞれ付着する方法が広く使用されてきた。しかし、従来の技術は縫製工程を行わなければならないため、製造工程が複雑であり、製造コストが大幅に上昇する問題点があった。
【０００５】
従来の問題点を解決するために、超音波照射による融着方式で綿織物６ａを含む密着包部６を上部フィルター紙１の内側面のうち下縁部と下部フィルター紙３の内側面のうち下縁部にそれぞれ接着する方法も実施された。しかし、密着包部６を構成する綿織物は高温で超音波を照射しても溶融されずに燃焼される。そのため、密着包部６を上部フィルター紙１の内側面のうち下縁部と下部フィルター紙３の内側面のうち下縁部とのそれぞれに接着させることができないという問題点がある。
【０００６】
一方、密着包部６として綿織物の代わりに、合成繊維の生地を含む密着包部を使用する場合には、超音波照射による溶着方式で密着包部６を上部フィルター紙１の内側面のうち上縁部と下部フィルター紙３の内側面のうち下縁部とのそれぞれに接着させることができるが、綿織物の代わりに合成繊維の生地が着用者の顔面と接触するため、肌触りや衛生効果が低下する。
【発明の概要】
【発明が解決しようとする課題】
【０００７】
本発明は前述の問題点に鑑みてなされたものであり、その目的は、着用者の顔面屈曲部分に沿ってマスクが完全に密着されて微細粉塵の濾過性能がさらに向上し、携帯や保管が容易であり、着用感及び外観に優れた、密着包部を備える３面折り畳み式マスクを簡素な工程及び安価な製造コストで製造する密着包部を備える３面折り畳み式マスクの製造方法を提供することにある。
【課題を解決するための手段】
【０００８】
前述のような目的を達成するために、本発明では、（ｉ）マスクの中央部に位置する合成繊維不織布の中央フィルター紙２、（ｉｉ）中央フィルター紙２の上方に延設されて折り曲げ線７ａに沿って中央フィルター紙２の長さ方向に折り畳まれる合成繊維不織布の上部フィルター紙１、及び（ｉｉｉ）中央フィルター紙２の下方に延設されて折り曲げ線７ｂに沿って中央フィルター紙２の長さ方向に折り畳まれる合成繊維不織布の下部フィルター紙３で構成され、綿織物６ａを含む密着包部６を備える３面折り畳み式マスクの製造方法であって、綿織物６ａの下面にホットメルト接着剤を塗布して樹脂層６ｂを形成した後、樹脂層６ｂの上に合成繊維不織布を接着して接着補助用合成繊維不織布層１５を形成し、接着補助用合成繊維不織布層１５、樹脂層６ｂ及び綿織物６ａが順に積層された３層構造の積層体Ａを製造した後、積層体Ａの接着補助用合成繊維不織布層１５が上部フィルター紙１及び下部フィルター紙３のそれぞれに当接するように、積層体Ａを上部フィルター紙１の内側面のうち上縁部と下部フィルター紙３の内側面のうち下縁部とのそれぞれに載置した後、接着補助用合成繊維不織布層１５を構成する合成繊維の融点以上の温度で超音波を照射して、綿織物６ａと樹脂層６ｂとからなる密着包部６を上部フィルター紙１の内側面のうち上縁部と下部フィルター紙３の内側面のうち下縁部とのそれぞれに接着させる。
【発明の効果】
【０００９】
本発明の密着包部を備える３面折り畳み式マスクの製造方法によれば、合成繊維不織布からなる上部フィルター紙１の内側面の上縁部と下部フィルター紙３の内側面の下縁部とのそれぞれに天然繊維である綿織物６ａを含む密着包部６を縫製工程なしに、超音波及びホットメルト接着剤を使用して強固に接着させることができる。従って、製造工程が簡素化され、製造コストも大幅に削減される。
【００１０】
本発明によって製造された３面折り畳み式マスクは、着用者の顔面屈曲部分に沿ってマスクが完全に密着されて微細粉塵の濾過効果に優れ、携帯や保管が容易であり、着用感と外観に優れ、天然繊維である綿織物６ａが着用者の顔面と接触されて肌の健康にも効果的である。
【図面の簡単な説明】
【００１１】
【図１】上部フィルター紙の内側面の上縁部と下部フィルター紙の内側面の下縁部とのそれぞれに密着包部が接着された状態を概略的に示す断面図である。
【図２】本発明に係る密着包部を備える３面折り畳み式マスクの正面写真である。
【図３】本発明に係る密着包部を備える３面折り畳み式マスクの背面写真である。
【図４】本発明に係る密着包部を備える３面折り畳み式マスクの平面写真である。
【図５】上部フィルター紙と下部フィルター紙とが重なった状態を示す本発明に係る密着包部を備える３面折り畳み式マスクの正面写真である。
【図６】上部フィルター紙と下部フィルター紙とが重なった状態を示す本発明に係る密着包部を備える３面折り畳み式マスクの背面写真である。
【図７】上部フィルター紙１の内側面のうち上縁部に密着包部６が付着した状態を示す写真である。
【図８】下部フィルター紙３の内側面のうち下縁部に密着包部６が付着した状態を示す写真である。
【図９】上部フィルター紙、下部フィルター紙、中央フィルター紙のそれぞれを構成する不織布積層体１０を概略的に示す断面図である。
【発明を実施するための形態】
【００１２】
以下、添付した図面を参照して本発明の好ましい実施形態を詳細に説明する。
【００１３】
本発明は、（ｉ）マスクの中央部に位置する合成繊維不織布の中央フィルター紙２、（ｉｉ）中央フィルター紙２の上方に延設されて折り曲げ線７ａに沿って中央フィルター紙２の長さ方向に折り畳まれる合成繊維不織布の上部フィルター紙１、（ｉｉｉ）中央フィルター紙２の下方に延設されて折り曲げ線７ｂに沿って中央フィルター紙２の長さ方向に折り畳まれる合成繊維不織布の下部フィルター紙３、（ｉｖ）上部フィルター紙１の中央内部に挿設されているアルミ平板の鼻掛け金具４、及び（ｖ）中央フィルター紙２の両端部のそれぞれに設けられる２つの耳掛け紐５を含み、上部フィルター紙１の内側面のうち上縁部と下部フィルター紙３の内側面のうち下縁部とのそれぞれには、綿織物６ａと、前記綿織物６ａの下面に形成された樹脂層６ｂとからなる密着包部６が接着されている、密着包部６を備える３面折り畳み式マスクの製造方法であって、綿織物６ａの下面にホットメルト接着剤を塗布して樹脂層６ｂを形成した後、樹脂層６ｂの上に合成繊維不織布を接着して接着補助用合成繊維不織布層１５を形成し、接着補助用合成繊維不織布層１５、樹脂層６ｂ及び綿織物６ａが順に積層された３層構造の積層体Ａを製造した後、積層体Ａの接着補助用合成繊維不織布層１５が上部フィルター紙１及び下部フィルター紙３のそれぞれに当接するように、積層体Ａを上部フィルター紙１の内側面のうち上縁部と下部フィルター紙３の内側面のうち下縁部とのそれぞれに載置した後、接着補助用合成繊維不織布層１５を構成する合成繊維の融点以上の温度で超音波を照射して、綿織物６ａと樹脂層６ｂとからなる密着包部６を上部フィルター紙１の内側面のうち上縁部と下部フィルター紙３の内側面のうち下縁部とのそれぞれに接着させることを特徴とする。
【００１４】
接着補助用合成繊維不織布層１５は３層構造の積層体Ａ上でホットメルト接着剤樹脂層６ｂを覆っているカバー層として、３層構造の積層体Ａをローリング（Ｒｏｌｌｉｎｇ）してもホットメルト接着剤樹脂層６ｂによって、巻回された積層体Ａが互いにくっつくことを防止すると共に、超音波が照射されると、接着補助用合成繊維不織布層１５は溶融されながら上部フィルター紙１の内側面の上縁部又は下部フィルター紙３の内側面の下縁部と強固に融着されて、密着包部６を上部フィルター紙１の内側面の上縁部又は下部フィルター紙３の内側面の下縁部に良好な接着強度で接着させる。
【００１５】
併せて、接着補助用合成繊維不織布層１５は３層構造の積層体Ａにクッション性とボリューム感を付与することで、超音波を照射処理する時、超音波が積層体Ａを構成するホットメルト接着剤樹脂層６ｂと接着補助用合成繊維不織布層１５の内部まで効果的に伝達されるようにして、密着包部６が上部フィルター紙１の内側面のうち上縁部と下部フィルター紙３の内側面のうち下縁部とのそれぞれに強固に接着されるようにする。
【００１６】
接着補助用合成繊維不織布層１５は、上部フィルター紙１と下部フィルター紙３とのそれぞれの材質と同一の材質である合成繊維不織布で構成することが好ましく、一例として、ポリプロピレン不織布などで構成することが好ましい。
【００１７】
本発明に係る密着包部を備える３面折り畳み式マスクは図２乃至図６に示すように、（ｉ）マスクの中央部に位置する中央フィルター紙２、（ｉｉ）中央フィルター紙２の上方に延設されて折り曲げ線７ａに沿って中央フィルター紙２の長さ方向に折り畳まれる上部フィルター紙１、（ｉｉｉ）中央フィルター紙２の下方に延設されて折り曲げ線７ｂに沿って中央フィルター紙２の長さ方向に折り畳まれる下部フィルター紙３、（ｉｖ）上部フィルター紙１の中央内部に挿設されているアルミ平板の鼻掛け金具４、及び（ｖ）中央フィルター紙２の両端部のそれぞれに設けられる２つの耳掛け紐５を含む。
【００１８】
また、密着包部を備える３面折り畳み式マスクは図７及び図８に示すように、上部フィルター紙１の内側面のうち上縁部と下部フィルター紙３の内側面のうち下縁部とのそれぞれには、綿織物６ａと、前記綿織物６ａの一面に形成された樹脂層６ｂとからなる密着包部６が接着されている。
【００１９】
密着包部６は図１に示すように、綿織物６ａの一面に樹脂層６ｂが形成された２層構造のコーティング織物として弾性に優れている。
【００２０】
前述したように、本発明によれば、上部フィルター紙１の内側面のうち上縁部全長にわたって密着包部６が取り付けられており、下部フィルター紙３の内側面のうち上縁部全長にわたって密着包部６が取り付けられている。従って、 着用者の顔面屈曲部分に沿ってマスクが完全に密着され、その結果、微細粉塵の濾過効果が大きく向上する。
【００２１】
密着包部６は綿織物６ａで構成されるので、着用時の肌触りを向上させ、様々な色を有することで、外観を向上させることがより好ましい。
【００２２】
一方、密着包部を備える３面折り畳み式マスクは着用者のＶ字状の顔面屈曲部分に沿って完全に密着されるように、中央フィルター紙２の両端上縁部２ａは中央フィルター紙２の両端下縁部２ｂより耳掛け紐５の方向に沿って相対的に長く延びた構造を有する。
【００２３】
密着包部を備える３面折り畳み式マスクは、着用者の鼻面及び頬骨の部分に完全に密着されるように、上部フィルター紙１の上縁中央部に鼻面挿入用凹溝１ａが形成されており、上部フィルター紙の上縁は屈曲部が形成された曲線で構成される。
【００２４】
一方、図９に示すように、本発明に係る 密着包部を備える３面折り畳み式マスクを構成する上部フィルター紙１、中央フィルター紙２、及び下部フィルター紙３のそれぞれはスパンボンド不織布からなる内層１１、メルトブローン・フィルター（Ｍｅｌｔ  Ｂｌｏｗｎ  Ｆｉｌｔｅｒ）からなる第１中間層１２、サーマル不織布（Ｔｈｅｒｍａｌ  Ｎｏｎーｗｏｖｅｎ  Ｆａｂｒｉｃ）からなる第２中間層１３、及びスパンボンド不織布からなる外層１４が順に積層されている不織布積層体１０で構成することが、微細粉塵の濾過効率を向上させる側面において好ましい。
【産業上の利用可能性】
【００２５】
本発明の密着包部を備える３面折り畳み式マスクの製造方法によれば、合成繊維不織布からなる上部フィルター紙１の内側面の上縁部と下部フィルター紙３の内側面の下縁部とのそれぞれに天然繊維である綿織物６ａを含む密着包部６を縫製工程なしに、超音波及びホットメルト接着剤を使用して強固に接着させることができる。従って、製造工程が簡素化され、製造コストも大幅に削減される。
【００２６】
本発明によって製造された密着包部を備える３面折り畳み式マスクは、着用者の顔面屈曲部分に沿ってマスクが完全に密着されて微細粉塵の濾過効果に優れ、携帯や保管が容易であり、着用感と外観に優れ、天然繊維である綿織物６ａが着用者の顔面と接触されて肌の健康にも効果的である。従って、本発明の産業利用性はきわめて高いものといえる。
【００２７】
以上、好ましい実施形態と図面によって本発明を説明したが、本発明はこれらによって限定されず、本発明が属する技術分野における通常の知識を有する者によって、本発明の技術思想と特許請求の範囲の均等範囲内で多様な修正及び変形が可能であることはもちろんである。
【符号の説明】
【００２８】
１  上部フィルター紙
２  中央フィルター紙
３  下部フィルター紙
４  鼻掛け金具
５  耳掛け紐
６  密着包部
６ａ  密着包部の綿織物
６ｂ  密着包部の樹脂層
１ａ  鼻面挿入用凹溝
２ａ  中央フィルター紙の両端上縁部
２ｂ  中央フィルター紙の両端下縁部
７ａ、７ｂ  折り曲げ線
１０  上部フィルター紙、下部フィルター紙及び中央フィルター紙のそれぞれを構成する不織布積層体
１１  不織布積層体の内層
１２  不織布積層体の第１中間層
１３  不織布積層体の第２中間層
１４  不織布積層体の外層
１５  接着補助用合成繊維不織布層
Ａ  綿織物６ａ、樹脂層６ｂ及び接着補助用合成繊維不織布層１５からなる３層構造の積層体
Ｂ  上部フィルター紙の内側面の上縁部又は下部フィルター紙の内側面の下縁部
【図１】
2019060064.tif 000003
【図２】
2019060064.tif 000004
【図３】
2019060064.tif 000005
【図４】
2019060064.tif 000006
【図５】
2019060064.tif 000007
【図６】
2019060064.tif 000008
【図７】
2019060064.tif 000009
【図８】
2019060064.tif 000010
【図９】
2019060064.tif 000011